【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
装置本体に開閉可能に支持された扉と、
前記扉と係合する第１係合部及び前記装置本体と係合する第２係合部を有し、前記扉の開放角度を規制する第１部材と、
前記第１係合部と前記第２係合部とが分離する態様で前記第１部材が破損した際に、前記扉の開放角度を規制する第２部材と、を備えた、
ことを特徴とする画像形成装置。
【請求項２】
前記第２部材は、前記第１部材が破損した際に、前記第１及び第２係合部を結合する、
ことを特徴とする請求項１記載の画像形成装置。
【請求項３】
軸部を有し、前記第２部材を前記第１部材に対して結合する挿入部材を備え、
前記第２部材は、前記挿入部材の軸部との間で隙間を形成した状態で前記軸部が挿通される挿通穴を有することを特徴とする請求項１記載の画像形成装置。
【請求項４】
前記第２部材を前記第１部材に対して結合する第１及び第２挿入部材を備え、
前記第２部材は、
前記第２部材の一端部に設けられ、前記第１挿入部材の軸部が挿通される第１挿通穴と、
前記第２部材の他端部に設けられ、前記第２挿入部材の軸部が挿通される第２挿通穴と、を有し、
前記第１挿通穴及び前記第２挿通穴の少なくとも一方は、前記第１挿入部材の軸部もしくは前記第２挿入部材の軸部との間で、隙間を形成した状態で前記第１挿入部材の軸部もしくは前記第２挿入部材の軸部が挿通される、
ことを特徴とする請求項１記載の画像形成装置。
【請求項５】
前記第１挿入部材は、前記第１係合部の内部に入り込んで前記第１部材に前記第２部材を結合し、前記第２挿入部材は前記第２係合部の内部に入り込んで前記第１部材に前記第２部材を結合する、
ことを特徴とする請求項４記載の画像形成装置。
【請求項６】
前記第１部材は樹脂製の部材であり、前記第２部材は金属部材であることを特徴とする請求項１記載の画像形成装置。
【請求項７】
前記第１係合部は前記扉にスライド可能に支持された突起であり、前記第２係合部は前記装置本体に回動自在に支持される軸部であることを特徴とする請求項１乃至６の何れか１項に記載の画像形成装置。
【請求項８】
装置本体と、
前記装置本体に開閉可能に支持された扉と、
前記扉と係合する第１係合部及び前記装置本体に係合する第２係合部を備え、前記扉を開放状態に保持するストッパ部材と、
少なくとも第１孔を有する金属部材と、
前記扉に設けられ、前記金属部材に嵌挿される第１軸部を備えた第１挿入部材と、
前記装置本体に設けられ、前記金属部材に嵌挿される第２軸部を備えた第２挿入部材と、を備え、
少なくとも前記第１及び第２挿入部材の一方は、前記ストッパ部材により前記扉が開放状態に保持された状態において、前記第１もしくは第２軸部の一方と前記第１孔との間に隙間が存するように前記第１孔に嵌挿される、
ことを特徴とする画像形成装置。
【請求項９】
前記金属部材は、第２孔を有し、
前記第１挿入部材の第１軸部は前記第１孔に挿入され、前記第２挿入部材の第２軸部は前記第２孔に挿入され、
少なくとも前記第１軸部と前記第１孔との間及び前記第２軸部と前記第２孔との間の少なくとも一方には、隙間が形成されている、
ことを特徴とする請求項８記載の画像形成装置。
【請求項１０】
前記第１係合部及び前記第２係合部は、前記扉及び前記装置本体に係合する突起部である、
ことを特徴とする請求項８記載の画像形成装置。
【請求項１１】
前記ストッパ部材により前記扉が開放状態に保持された状態において、前記第１軸部と前記第１孔との間及び前記第２軸部と前記第２孔との間には、隙間が形成されている、
ことを特徴とする請求項９記載の画像形成装置。
【請求項１２】
前記第１挿入部材は、前記ストッパ部材の第１係合部に挿入され、
前記第２挿入部材は、前記ストッパ部材の第２係合部に挿入される、
ことを特徴とする請求項８記載の画像形成装置。
【請求項１３】
前記第１孔は、前記ストッパ部材が前記第１及び第２係合部が分離する形態で破損するまで変形可能な大きさに設定されている、
ことを特徴とする請求項８記載の画像形成装置。
【請求項１４】
前記ストッパ部材は、樹脂製部材である、
ことを特徴とする請求項８記載の画像形成装置。
【請求項１５】
前記第１挿入部材は、前記ストッパ部材の第１係合部を介して前記扉に設けられ、
前記第２挿入部材は、前記ストッパ部材の第２係合部を介して前記装置本体に設けられた、
ことを特徴とする請求項８記載の画像形成装置。
【請求項１６】
前記第１挿入部材は、前記ストッパ部材の第１係合部を介して前記扉にスライド可能に支持されている、
ことを特徴とする請求項１５記載の画像形成装置。
【請求項１７】
前記第１係合部は、前記扉にスライド可能に支持された突起であり、
前記第１挿入部材の第１軸部の一部は、前記ストッパ部材の第１係合部に挿入されている、
ことを特徴とする請求項８記載の画像形成装置。
【請求項１８】
前記第２係合部は、前記装置本体に回動可能に支持され、
前記第２挿入部材の第２軸部の一部は、前記ストッパ部材の第２係合部に挿入されている、
ことを特徴とする請求項８記載の画像形成装置。
【請求項１９】
装置本体と、
前記装置本体に開閉可能に支持された扉と、
前記扉と係合する第１係合部及び前記装置本体と係合する第２係合部を有し、前記扉の開放角度を規制する第１部材と、
第２部材と、
前記第１部材を前記第２部材に結合する挿入部材と、を備え、
前記第２部材は、前記挿入部材の軸部との間で隙間を形成した状態で前記軸部が挿通される挿通穴を有する、
ことを特徴とする画像形成装置。
【請求項２０】
前記第２部材は、前記第１部材とは別体に形成されている、
ことを特徴とする請求項１記載の画像形成装置。
【手続補正２】
【補正対象書類名】明細書
【補正対象項目名】００１０
【補正方法】変更
【補正の内容】
【００１０】
本発明は、画像形成装置において、装置本体に開閉可能に支持された扉と、前記扉と係合する第１係合部及び前記装置本体と係合する第２係合部を有し、前記扉の開放角度を規制する第１部材と、前記第１係合部と前記第２係合部とが分離する態様で前記第１部材が破損した際に、前記扉の開放角度を規制する第２部材と、を備えた、ことを特徴とするものである。
また、本発明は、画像形成装置において、装置本体と、前記装置本体に開閉可能に支持された扉と、前記扉と係合する第１係合部及び前記装置本体に係合する第２係合部を備え、前記扉を開放状態に保持するストッパ部材と、少なくとも第１孔を有する金属部材と、前記扉に設けられ、前記金属部材に嵌挿される第１軸部を備えた第１挿入部材と、前記装置本体に設けられ、前記金属部材に嵌挿される第２軸部を備えた第２挿入部材と、を備え、少なくとも前記第１及び第２挿入部材の一方は、前記ストッパ部材により前記扉が開放状態に保持された状態において、前記第１もしくは第２軸部の一方と前記第１孔との間に隙間が存するように前記第１孔に嵌挿される、ことを特徴とする。
更に、本発明は、画像形成装置において、装置本体と、前記装置本体に開閉可能に支持された扉と、前記扉と係合する第１係合部及び前記装置本体と係合する第２係合部を有し、前記扉の開放角度を規制する第１部材と、第２部材と、前記第１部材を前記第２部材に結合する挿入部材と、を備え、前記第２部材は、前記挿入部材の軸部との間で隙間を形成した状態で前記軸部が挿通される挿通穴を有する、ことを特徴とする。